(57)【要約】【課題】既設排水トラップの補修工事を容易化するとともに、補修後の既設排水トラップの耐久性の向上を図る。【解決手段】建物の床スラブＫＳに埋設された既設ハウジング部１３，１４と、封水キャップ１８が被せられる既設立て管部と、既設立て管部と下階の排水管とを接続する既設下端接続部とを備える既設排水トラップ１０の補修に使用される樹脂製のインナートラップ２０であって、有底円筒形のハウジング部２２と、ハウジング部２２の内側に同軸に設けられて封水部を形成している立て管部２４と、立て管部２４と連通した状態で同軸に設けられており、立て管部２４と排水管５とを接続する下端接続部２６とを備えており、ハウジング部２２は、既設排水トラップ１０の既設立て管部と既設下端接続部とが除去された状態で、既設ハウジング部１３，１４内に上端開口から収納できるように構成されている。【選択図】図９
2022000561.tif 000002
【特許請求の範囲】
【請求項１】
建物の床スラブに埋設されて上端の開口により床面上の排水を受ける有底円筒状の既設ハウジング部と、前記既設ハウジング部の内側に同軸に設けられて封水部を形成しており、釣り鐘状の封水キャップが流路を確保した状態で被せられる既設立て管部と、前記既設ハウジング部の底部の下側で前記既設立て管部と同軸に設けられており、前記既設立て管部と下階の排水管とを接続する既設下端接続部とを備える既設排水トラップの補修に使用される樹脂製のインナートラップであって、
上端が開口している有底円筒形のハウジング部と、
前記ハウジング部の内側に同軸に設けられて封水部を形成しており、釣り鐘状の封水キャップが流路を確保した状態で被せられる円筒形の立て管部と、
前記ハウジング部の底部の下側で前記立て管部と連通した状態で同軸に設けられており、前記立て管部と下階の排水管とを接続する下端接続部とを備えており、
前記ハウジング部は、前記既設排水トラップの既設立て管部と既設下端接続部とが除去された状態で、既設ハウジング部内に上端の前記開口から収納できるように構成されているインナートラップ。
【請求項２】
請求項１に記載のインナートラップであって、
前記樹脂には、硬質塩化ビニルが使用されており、
前記ハウジング部の外径寸法が前記既設排水トラップの既設ハウジング部の内径寸法よりも小さく設定されているインナートラップ。
【請求項３】
請求項１に記載のインナートラップであって、
前記樹脂には、軟質塩化ビニルが使用されており、
前記ハウジング部の外径寸法が前記既設排水トラップの既設ハウジング部の内径寸法よりも大きく設定されて、前記ハウジング部が半径方向に内側に弾性変形することで、前記既設ハウジング部内に収納される構成であるインナートラップ。
【請求項４】
請求項１から請求項３のいずれかに記載のインナートラップであって、
前記立て管部の外径寸法は、前記下端接続部に挿入される前記排水管の外径寸法と等しい値に設定されているインナートラップ。
【請求項５】
請求項１から請求項３のいずれかに記載のインナートラップであって、
前記立て管部の外径寸法は、前記下端接続部に挿入される前記排水管の外径寸法よりも小さな値に設定されているインナートラップ。
【請求項６】
請求項１から請求項５のいずれかに記載のインナートラップを使用した既設排水トラップの補修方法であって、
前記既設排水トラップの既設立て管部に被せられている釣り鐘状の封水キャップを外す準備工程と、
前記準備工程の後、内径寸法が前記既設排水トラップの既設下端接続部の外径寸法よりも大きな径寸法の円筒状ホルソーを前記既設排水トラップの既設ハウジング部内に同軸に挿入するホルソーセット工程と、
前記ホルソーセット工程の後、前記円筒状ホルソーを回転駆動させて、前記既設排水トラップの既設ハウジング部の底部と、その底部に重なる床スラブとを平面円形に切断して貫通孔を形成する貫通孔形成工程と、
前記貫通孔形成工程の後、前記既設排水トラップの既設ハウジングの内壁面に接着剤をセットする接着剤セット工程と、
前記接着剤セット工程の後、前記インナートラップを前記既設排水トラップの既設ハウジング部内に収納し、前記インナートラップのハウジング部の外周面を前記既設排水トラップの既設ハウジングの内壁面に接着するトラップ固定工程と、
を有する既設排水トラップの補修方法。
【請求項７】
請求項６に記載の既設排水トラップの補修方法であって、
前記接着剤には、エポキシ系粘土状の接着剤が使用される既設排水トラップの補修方法。
【発明の詳細な説明】
【技術分野】
【０００１】
本発明は、既設排水トラップの補修に使用される樹脂製のインナートラップ、及びそのインナートラップを使用した既設排水トラップの補修方法に関する。
【背景技術】
【０００２】
建物の床部に設置された排水トラップの補修方法に関する技術が特許文献１に記載されている。特許文献１に記載の補修方法により補修された既設排水トラップ１００が図１３に示されている。特許文献１の記載された補修方法では、既設排水トラップ１００の釣り鐘状の封水キャップ１０２が外された後、既設排水トラップ１００の内側、即ち、ハウジング部１０４の内壁面、及び底面と、立て管部１０６の内側、外側とが清掃される。ここで、既設排水トラップ１００は鋳鉄製であるため、長期間（数十年）の使用により錆が大量に付着している。さらに、既設排水トラップ１００には、ハウジング部１０４の内側に封水部を構成する立て管部１０６が存在しているため形状が複雑である。このため、既設排水トラップ１００における内側の清掃では、錆を除去するため、一般的にサンドブラスト等が使用されている。そして、既設排水トラップ１００の内側が清掃された後、ハウジング部１０４の内壁面、底面、及び立て管部１０６の外側に防食塗料が塗布され、さらに、図１３に示すように、前記立て管部１０６の内側、外側に筒状のゴム製被覆材１０８が被せられる。
【先行技術文献】
【特許文献】
【０００３】
【特許文献１】特開２００６−１１８３２９号公報
【発明の概要】
【発明が解決しようとする課題】
【０００４】
上記した排水トラップの補修方法では、既設排水トラップ１００の内側の錆を除去するためにサンドブラストが使用される。ここで、サンドブラストは、既設排水トラップ１００の内側に研磨材である砂を高圧で吹き付ける方法であるため、砂や錆等が外に飛び散らないようにするための対策に手間が掛かる。さらに、既設排水トラップ１００の立て管部１０６は、錆が除去されることで薄肉になるため、ゴム製被覆材１０８を被せたとしても耐久性は低い。
【０００５】
本発明は、上記問題点を解決するためになされたものであり、本発明の技術的課題は、既設排水トラップの補修工事を容易化するとともに、補修後の既設排水トラップの耐久性の向上を図ることである。
【課題を解決するための手段】
【０００６】
上記した課題は、各発明によって解決される。第１の発明は、建物の床スラブに埋設されて上端の開口により床面上の排水を受ける有底円筒状の既設ハウジング部と、前記既設ハウジング部の内側に同軸に設けられて封水部を形成しており、釣り鐘状の封水キャップが流路を確保した状態で被せられる既設立て管部と、前記既設ハウジング部の底部の下側で前記既設立て管部と同軸に設けられており、前記既設立て管部と下階の排水管とを接続する既設下端接続部とを備える既設排水トラップの補修に使用される樹脂製のインナートラップであって、上端が開口している有底円筒形のハウジング部と、前記ハウジング部の内側に同軸に設けられて封水部を形成しており、釣り鐘状の封水キャップが流路を確保した状態で被せられる円筒形の立て管部と、前記ハウジング部の底部の下側で前記立て管部と連通した状態で同軸に設けられており、前記立て管部と下階の排水管とを接続する下端接続部とを備えており、前記ハウジング部は、前記既設排水トラップの既設立て管部と既設下端接続部とが除去された状態で、既設ハウジング部内に上端の前記開口から収納できるように構成されている。
【０００７】
本発明によると、インナートラップのハウジング部は、既設排水トラップの既設立て管部と既設下端接続部とが除去された状態で、既設ハウジング部内に上端の開口から収納できるように構成されている。このため、既設排水トラップの既設立て管部、及び既設下端接続部等を除去し、既設ハウジング部内に本発明のインナートラップをセットすることで、既設排水トラップの補修を行なうことができる。ここで、既設排水トラップの既設立て管部、及び既設下端接続部を除去する方法としては、例えば、建物の床スラブに貫通孔を形成する円筒状ホルソー（ダイヤモンドホルソー）を使用する。即ち、円筒状ホルソーを既設排水トラップの既設ハウジング部の内側に同軸に通し、既設ハウジング部の底部の位置で床スラブに貫通孔を開けることで、既設排水トラップの既設立て管部、及び既設下端接続部を同時に除去できる。そして、貫通孔を開けた後、既設排水トラップの既設ハウジング部内に本発明のインナートラップをセットして固定することで、前記既設排水トラップの補修が完了する。このため、既設排水トラップの内側をサンドブラストして補修する方法等と比較して既設排水トラップの補修の手間が大幅に低減される。また、インナートラップは樹脂製で新設のため、サンドブラスト後の金属を塗装して被覆する方法と比較して、耐久性が向上する。
【０００８】
第２の発明によると、樹脂には、硬質塩化ビニルが使用されており、ハウジング部の外径寸法が既設排水トラップの既設ハウジング部の内径寸法よりも小さく設定されている。このため、インナートラップを確実に既設排水トラップの既設ハウジング部の内側に収納できるようになる。また、インナートラップに硬質塩化ビニルを使用することで、腐食に強くインナートラップの耐久性が向上する。
【０００９】
第３の発明によると、樹脂には、軟質塩化ビニルが使用されており、ハウジング部の外径寸法が既設排水トラップの既設ハウジング部の内径寸法よりも大きく設定されて、前記ハウジング部が半径方向に内側に弾性変形することで、前記既設ハウジング部内に収納される構成である。このため、既設排水トラップの既設ハウジング部とインナートラップのハウジング部間の隙間を小さくできる。
【００１０】
第４の発明によると、立て管部の外径寸法は、下端接続部に挿入される排水管の外径寸法と等しい値に設定されている。
【００１１】
第５の発明によると、立て管部の外径寸法は、下端接続部に挿入される排水管の外径寸法よりも小さな値に設定されている。このため、立て管部に被せられる封水キャップの径寸法も小さくできる。これにより、ハウジング部の内壁面と封水キャップ間の流路を十分に確保できる。
【００１２】
第６の発明は、請求項１から請求項５のいずれかに記載のインナートラップを使用した既設排水トラップの補修方法であって、既設排水トラップの既設立て管部に被せられている釣り鐘状の封水キャップを外す準備工程と、準備工程の後、内径寸法が前記既設排水トラップの既設下端接続部の外径寸法よりも大きな径寸法の円筒状ホルソーを既設排水トラップの既設ハウジング部内に同軸に挿入するホルソーセット工程と、ホルソーセット工程の後、前記円筒状ホルソーを回転駆動させて、既設排水トラップの既設ハウジング部の底部と、その底部に重なる床スラブとを平面円形に切断して貫通孔を形成する貫通孔形成工程と、貫通孔形成工程の後、既設排水トラップの既設ハウジングの内壁面に接着剤をセットする接着剤セット工程と、接着剤セット工程の後、前記インナートラップを前記既設排水トラップの既設ハウジング部内に収納し、前記インナートラップのハウジング部の外周面を前記既設排水トラップの既設ハウジングの内壁面に接着するトラップ固定工程と、を有する。
【００１３】
第７の発明によると、接着剤には、エポキシ系粘土状の接着剤が使用される。このため、樹脂製のインナートラップを既設の鋳鉄製の既設排水トラップの既設ハウジング部の内壁面、及び底部に強固に接着できる。
【発明の効果】
【００１４】
本発明によると、既設排水トラップの補修工事を容易化できるとともに、補修後の既設排水トラップの耐久性の向上を図ることができる。
【図面の簡単な説明】
【００１５】
【図１】本発明の実施形態に係るインナートラップの縦断面図である。
【図２】本実施形態に係るインナートラップを使用して既設排水トラップを補修した状態を表す縦断面図である
【図３】建物の床スラブに埋設された既設排水トラップを表す縦断面図である。
【図４】既設排水トラップの補修工事の一工程を表す縦断面図である。
【図５】既設排水トラップの補修工事の一工程を表す縦断面図である。
【図６】既設排水トラップの補修工事の一工程を表す縦断面図である。
【図７】既設排水トラップの補修工事の一工程を表す縦断面図である。
【図８】既設排水トラップの補修工事の一工程を表す縦断面図である。
【図９】補修後の既設排水トラップに対して下階の排水管を接続した様子を表す縦断面図である。
【図１０】前記インナートラップの変形例を表す縦断面図である。
【図１１】補修後の既設排水トラップの使用変形例を表す縦断面図である。
【図１２】既設排水トラップの補修工事の変更例を表す縦断面図である。
【図１３】従来の補修方法により既設排水トラップを補修した様子を表す縦断面図である。
【発明を実施するための形態】
【００１６】
［実施形態１］
以下、図１〜図１２に基づいて本発明の実施形態１に係る既設排水トラップ１０の補修に使用される樹脂製のインナートラップ２０、及びそのインナートラップ２０を使用した既設排水トラップ１０の補修方法について説明する。ここで、本実施形態に係る既設排水トラップ１０は、集合住宅の浴室の床部において使用されている鋳鉄製の排水トラップである。
【００１７】
＜既設排水トラップ１０について＞
図３に基づいて、既設排水トラップ１０の設置状態について説明する。既設排水トラップ１０は、集合住宅の浴室の床面Ｆ上の水を下階の排水管に導く鋳鉄製のトラップであり、図３に示すように、排水を貯留する封水部Ｗを備えている。そして、既設排水トラップ１０の封水部Ｗに貯留されている水の働きで下階の排水管の異臭が浴室内に流れ込まないように構成されている。既設排水トラップ１０は、円筒形の上ハウジング部１３と、上ハウジング部１３の下に設けられた有底円筒形の下ハウジング部１４と、上ハウジング部１３の上端に被せられ、円板形のストレーナ１１がセットされる環状のストレーナ支持部１２とを備えている。
【００１８】
下ハウジング部１４は、図３に示すように、上ハウジング部１３の下部を同軸に収納できるサイズで形成されている。下ハウジング部１４の上部には、その下ハウジング部１４の側壁を半径方向に貫通する雌ネジ孔（図番省略）が円周方向に複数個形成されており、各々の雌ネジ孔に固定ボルト１４ｓが螺合されている。これにより、下ハウジング部１４に対して上ハウジング部１３の下部を収納し、下ハウジング部１４に対する上ハウジング部１３の挿入寸法を調整後、固定ボルト１４ｓを締付けることで、下ハウジング部１４に対して上ハウジング部１３を固定することができる。また、下ハウジング部１４には、固定ボルト１４ｓの下方で半径方向に外側に張り出すように形成された集水フランジ１４ｆが設けられている。さらに、下ハウジング部１４の側壁には、集水フランジ１４ｆの上側に、その集水フランジ１４ｆにより集められた水を下ハウジング部１４内に導く斜め通路１４ｘ（いわゆる水抜穴）が形成されている。
【００１９】
下ハウジング部１４の底部１４ｂには、図３に示すように、下ハウジング部１４と同軸に立て管部１６が設けられている。立て管部１６は、下ハウジング部１４の内側に封水部Ｗを形成するための立ち上がり管であり、立て管部１６の上端位置まで封水部Ｗ内に水が貯留される（図２、図３の点線参照）。立て管部１６には、釣り鐘状の封水キャップ１８（いわゆる「わん」）が流路Ｒを確保した状態で被せられている。また、下ハウジング部１４の底部１４ｂの下側には、下端接続部１７が立て管部１６と連通した状態で同軸に形成されている。そして、既設排水トラップ１０の下端接続部１７に対して、下階の排水管（図示省略）が接続されている。これにより、浴室内の排水は、ストレーナ１１を介して上ハウジング部１３、下ハウジング部１４内に流入し、封水部Ｗ、及び封水キャップ１８と立て管部１６間の流路Ｒを介して立て管部１６の内側に導かれる。そして、立て管部１６内の排水は、下階の排水管に流入する。
【００２０】
＜排水トラップ１０の設置について＞
排水トラップ１０の設置では、図３に示すように、先ず、下ハウジング部１４が床スラブＫＳの貫通部ＫＳＨに収納され、その下ハウジング部１４の集水フランジ１４ｆが床スラブＫＳの上面にセットされる。この状態で、床スラブＫＳの上面、及び集水フランジ１４ｆの上面が防水シートＳにより覆われる。次に、防水シートＳの上に押えモルタルＭＳが流し込まれ、排水トラップ１０は、ストレーナ支持部１２の近傍までが押えモルタルＭＳに埋められる。そして、押えモルタルＭＳの表面にタイルＴが張られることで浴室の床面Ｆが完成し、排水トラップ１０のストレーナ１１の上面が床面Ｆと面一になる。そして、浴室の使用により経時的にタイルＴの目地や押えモルタルＭＳのひび割れ等から水が漏れると、その水は排水トラップ１０の集水フランジ１４ｆにより中央に集められ、下ハウジング部１４の斜め通路１４ｘにより、下ハウジング部１４の内側に導かれる。
【００２１】
＜既設排水トラップ１０の補修に使用されるインナートラップ２０について＞
インナートラップ２０は、図１、図２に示すように、既設排水トラップ１０のストレーナ支持部１２、上ハウジング部１３、及び下ハウジング部１４の側壁部を除く部分、即ち、既設排水トラップ１０の内側を全て更新するための部品である。インナートラップ２０は、硬質塩化ビニル製であり、図１に示すように、上端に開口２２ｕを備える有底円筒形のハウジング部２２を備えている。ハウジング部２２の外径寸法は、既設排水トラップ１０の上ハウジング部１３の内径寸法より若干小さく設定されている。即ち、ハウジング部２２の外径寸法が制限されている状態でそのハウジング部２２内の容積を確保するため、ハウジング部２２の側壁の肉厚寸法は他の部位よりも小さく設定されている。また、ハウジング部２２の軸方向の長さ寸法（高さ寸法）は、既設排水トラップ１０の下ハウジング部１４の底部１４ｂの上面から上ハウジング部１３の上端までの寸法とほぼ等しい値に設定されている。
【００２２】
インナートラップ２０は、図１に示すように、ハウジング部２２の底部２２ｂの位置から立ち上がるようにそのハウジング部２２と同軸に設けられた立て管部２４を備えている。立て管部２４は、ハウジング部２２の内側に封水部Ｗを形成するための立ち上がり管であり、釣り鐘状の封水キャップ１８が流路を確保した状態で被せられるようになっている。また、インナートラップ２０は、ハウジング部２２の底部２２ｂの下側位置で、立て管部１６と連通した状態で同軸に形成されている下端接続部２６を備えている。下端接続部２６は、図９に示すように、インナートラップ２０の立て管部２４と下階の排水管５とを接続するための受け口である。ここで、立て管部２４の外径寸法は、下端接続部２６に挿入される排水管５の立て管５ｓの外径寸法と等しい値に設定されている。
【００２３】
＜インナートラップ２０を使用した既設排水トラップ１０の補修の手順について＞
既設排水トラップ１０を補修する際には、図３において、先ず、円板形のストレーナ１１が外され、次に、封水キャップ１８が外される。なお、ストレーナ１１、及び封水キャップ１８は再利用が可能な場合には、洗浄後、再利用される。次に、図４に示すように、床スラブＫＳに貫通孔Ｈ（図５等参照）を形成する円筒状ホルソー３０（ダイヤモンドホルソー）が既設排水トラップ１０の上ハウジング部１３、下ハウジング部１４と同軸にセットされる。ここで、円筒状ホルソー３０の外径寸法は、インナートラップ２０の外径寸法よりも小さく設定されている。また、円筒状ホルソー３０の内径寸法は、既設排水トラップ１０の下端接続部１７の外径寸法よりも大きく設定されている。円筒状ホルソー３０は、既設排水トラップ１０の上ハウジング部１３、下ハウジング部１４に挿入される。そして、円筒状ホルソー３０が回転駆動されることにより、図４、図５に示すように、下ハウジング部１４の底部１４ｂと、その底部１４ｂに重なる床スラブＫＳが平面円形に切断され、貫通孔Ｈが形成される。これにより、図６に示すように、既設排水トラップ１０の立て管部１６と下端接続部１７とが貫通孔Ｈの内側部分と共に除去される。
【００２４】
次に、図６に示すように、既設排水トラップ１０の下ハウジング部１４の底部１４ｂの残部上面にエポキシ系粘土状の接着剤Ｂが環状にセットされる。また、上ハウジング部１３の内壁面、及び上ハウジング部１３の下端と下ハウジング部１４との境界位置に接着剤Ｂが環状にセットされる。この状態で、図６〜図８に示すように、インナートラップ２０が既設排水トラップ１０の上端開口から上ハウジング部１３、下ハウジング部１４内に挿入される。これにより、図８に示すように、インナートラップ２０のハウジング部２２の底部２２ｂの下角部が接着剤Ｂにより下ハウジング部１４の底部１４ｂの残部上面、及び下ハウジング部１４の内壁面下部に固定される。また、インナートラップ２０のハウジング部２２の外周面が同じく接着剤Ｂにより上ハウジング部１３の内壁面、及び下ハウジング部１４の内壁面上部に固定される。このようにして、インナートラップ２０が既設排水トラップ１０の上ハウジング部１３、下ハウジング部１４に固定されると、インナートラップ２０の立て管部２４に封水キャップ１８が被せられる。さらに、既設排水トラップ１０のストレーナ支持部１２にストレーナ１１がセットされて、既設排水トラップ１０の補修が完了する。
【００２５】
既設排水トラップ１０の補修が完了すると、図９に示すように、下階の排水管５の施工が行われる。即ち、下階の排水管５を構成する立て管５ｓが既設排水トラップ１０のインナートラップ２０の下端接続部２６に挿入接続される。次に、立て管５ｓの下端部がエルボー継手５ｅを介して吊り支持金具３６に支持された排水管５の水平部に接続される。そして、下階の排水管５の施工後に床スラブＫＳの貫通孔Ｈの内側に下方からモルタルＭＤが詰められ、貫通孔Ｈの下端開口が閉塞板３４により塞がれて、配管工事が終了する。
【００２６】
＜本実施形態に係る既設排水トラップと本発明に係る既設排水トラップとの用語の対応＞
本実施形態に係る既設排水トラップ１０の上ハウジング部１３と下ハウジング部１４とが本発明の既設ハウジング部に相当し、立て管部１６が本発明の既設立て管部に相当し、下端接続部１７が本発明の既設下端接続部に相当する。
【００２７】
＜本実施形態に係るインナートラップ２０の長所について＞
本実施形態に係るインナートラップ２０は、既設排水トラップ１０の立て管部１６（既設立て管部）、及び下端接続部１７（既設下端接続部）を除去した後、上ハウジング部１３、下ハウジング部１４内にセットできるように構成されている。ここで、既設排水トラップ１０の立て管部１６（既設立て管部）、及び下端接続部１７（既設下端接続部）を除去する方法として、円筒状ホルソー３０を使用できる。即ち、円筒状ホルソー３０を既設排水トラップ１０の上ハウジング部１３、下ハウジング部１４の内側に同軸に通し、下ハウジング部１４の底部１４ｂの位置で床スラブＫＳに貫通孔Ｈを開けることで、既設排水トラップ１０の立て管部１６（既設立て管部）、及び下端接続部１７（既設下端接続部）を除去できる。そして、貫通孔Ｈを開けた後、既設排水トラップ１０の上ハウジング部１３、下ハウジング部１４内にインナートラップ２０を上方から挿入して固定することで、既設排水トラップ１０の補修が完了する。このため、既設排水トラップ１０の内側をサンドブラストして補修する方法等と比較して既設排水トラップ１０の補修の手間が大幅に低減される。また、インナートラップ２０は樹脂製で新設のため、サンドブラスト後の金属を塗装して被覆する方法と比較して、耐久性が向上する。
【００２８】
また、インナートラップ２０は、硬質塩化ビニルにより形成されているため、腐食に強く耐久性が高い。また、インナートラップ２０のハウジング部２２の外径寸法が既設排水トラップ１０の上ハウジング部１３、下ハウジング部１４の内径寸法よりも小さく設定されている。このため、インナートラップ２０を確実に既設排水トラップ１０の上ハウジング部１３、下ハウジング部１４の内側に収納できるようになる。
【００２９】
＜変更例＞
ここで、本発明は上記実施形態に限定されるものではなく、本発明の要旨を逸脱しない範囲における変更が可能である。例えば、本実施形態では、インナートラップ２０の材料として硬質塩化ビニルを使用する例を示した。しかし、インナートラップ２０の材料として軟質塩化ビニルを使用し、インナートラップ２０のハウジング部２２の外径寸法を既設排水トラップ１０の上ハウジング部１３の内径寸法よりも大きく設定することも可能である。これにより、インナートラップ２０のハウジング部２２を半径方向に内側に弾性変形させて、既設排水トラップ１０の上ハウジング部１３、下ハウジング部１４に挿入することで、インナートラップ２０のハウジング部２２と既設排水トラップ１０の上ハウジング部１３、下ハウジング部１４間の隙間を小さくできる。また、インナートラップ２０のハウジング部２２の側壁のみ軟質塩化ビニルを使用することも可能である。
【００３０】
また、本実施形態では、図１に示すように、インナートラップ２０のハウジング部２２の側壁の肉厚寸法を他の部位よりも小さく設定し、さらに立て管部２４の外径寸法を下端接続部２６に挿入される排水管５の立て管５ｓの外径寸法と等しい値に設定する例を示した。しかし、図１０に示すように、インナートラップ２０の立て管部２４の外径寸法を下端接続部２６に挿入される排水管５の立て管５ｓの外径寸法よりも小さく設定することも可能である。これにより、インナートラップ２０の立て管部２４に被せる封水キャップ１８の外径寸法も小さくできる。この結果、インナートラップ２０のハウジング部２２の側壁の肉厚寸法を他の部位と同じ肉厚寸法にしても、ハウジング部２２の内壁面と封水キャップ１８間の流路を十分に確保できる。
【００３１】
また、本実施形態では、図９に示すように、浴室の既設排水トラップ１０を補修後もそのまま浴室の排水トラップとして使用する例を示した。しかし、インナートラップ２０の
立て管部２４の外径寸法を排水管５の立て管５ｓの外径寸法と等しくすることで、図１１に示すように、補修後の排水トラップを排水管５，７の継手として使用可能である。即ち、旧浴室内にユニットバス（図示省略）を設置した場合、ユニットバスの排水管７を直線継手２５によりインナートラップ２０の立て管部２４に接続することにより、ユニットバスの排水を下階の排水管５に導くことが可能になる。また、図１２に示すように、大径の円筒状ホルソー３０を使用して下ハウジング１４の内側に上ハウジング部１３の径寸法とほぼ等しい貫通孔を形成し、それに合わせて大径のインナートラップ２０をセットする構成でも可能である。
【符号の説明】
【００３２】
５・・・・・排水管
１０・・・・既設排水トラップ
１３・・・・上ハウジング部（既設ハウジング部）
１４・・・・下ハウジング部（既設ハウジング部）
１４ｂ・・・底部
１６・・・・立て管部（既設立て管部）
１７・・・・下端接続部（既設下端接続部）
１８・・・・封水キャップ
２０・・・・インナートラップ
２２・・・・ハウジング部
２２ｕ・・・開口
２２ｂ・・・底部
２４・・・・立て管部
２６・・・・下端接続部
３０・・・・円筒状ホルソー
Ｆ・・・・・床面
Ｈ・・・・・貫通孔
ＫＳ・・・・床スラブ
Ｒ・・・・・流路
Ｗ・・・・・封水部
【図１】
2022000561.tif 000003
【図２】
2022000561.tif 000004
【図３】
2022000561.tif 000005
【図４】
2022000561.tif 000006
【図５】
2022000561.tif 000007
【図６】
2022000561.tif 000008
【図７】
2022000561.tif 000009
【図８】
2022000561.tif 000010
【図９】
2022000561.tif 000011
【図１０】
2022000561.tif 000012
【図１１】
2022000561.tif 000013
【図１２】
2022000561.tif 000014
【図１３】
2022000561.tif 000015